(57)【要約】      （修正有）【課題】背もたれの傾斜動作中でのズレや無理な姿勢を避け、着座者の姿勢を起立姿勢から傾斜姿勢へ安全かつ快適に移行できる椅子を提供する。【解決手段】腰当て凸部５ａを有する背もたれ５と、水平な前方座１０と、前方座１０に対して下向きに揺動可能に枢支される後方座１１と、前方座１０の前端部に枢支される脚当て８と、背もたれ５が後傾するに伴い、腰当て凸部５ａから後方座１１までの距離が起立姿勢よりも傾斜姿勢の方が小さくなるように、後方座１１の後端部と背もたれ５の下端部との位置関係を変更するリンク２１、２３と、背もたれ５の下端部と脚当て８の上端部よりも下方の箇所とを連結し、背もたれ５が後傾するに伴い、脚当て８を前方へ揺動させる連結リンク３７とを備える。【選択図】図３
2010124885.tif 000002
【特許請求の範囲】
【請求項１】
基準点を有する背もたれと、
水平な前方座と、前記前方座に連設され前記前方座に対して下向きに揺動可能に枢支される後方座とを有する座と、
上端部が、前記前方座の前端部に枢支される脚当てと、
前記後方座の後端部と前記背もたれの下端部とを、前記背もたれが起立姿勢から傾斜姿勢まで後傾可能に接続し、前記背もたれが後傾するに伴い、前記基準点から前記後方座までの距離が前記起立姿勢よりも前記傾斜姿勢の方が小さくなるように、前記後方座の後端部と前記背もたれの下端部との位置関係を変更する、傾動機構と、
前記背もたれの前記下端部と前記脚当ての前記上端部よりも下方の箇所とを連結し、前記背もたれが後傾するに伴い、前記脚当てを前方へ揺動させる連結機構とを備える椅子。
【請求項２】
前記後方座が前記前方座に対して揺動する角度を規制する規制手段をさらに備え、
前記規制手段により前記角度が規制されるまでは、前記距離が前記起立姿勢における距離のまま一定に保持され、前記背もたれと前記後方座とが一体的に揺動するように、前記傾動機構は、前記後方座の後端部と前記背もたれの下端部とを連結し、
前記規制手段により前記角度が規制されると、前記距離が前記起立姿勢における距離から小さくなり、かつ、前記背もたれが前記後方座とは独立して揺動するように、前記傾動機構は、前記後方座の後端部と前記背もたれの下端部とを連結することを特徴とする請求項１記載の椅子。
【請求項３】
前記規制手段は、前記後方座の側面に当設し前記角度を規制する傾斜面を有する邪魔板を備える請求項２記載の椅子。
【請求項４】
前記傾動機構は、前記後方座の前記後端部と前記背もたれの前記下端部と前記基準点との中間の位置とに両端部がそれぞれヒンジ止めされる第１リンクと、前記後方座の前記中間の位置よりも前方の位置と前記背もたれの前記下端部とに両端部がそれぞれヒンジ止めされ、前記第１リンクよりも長く形成される第２リンクとを有する請求項１から３いずれかに記載の椅子。
【請求項５】
前記脚当ての側方に、脚部のサイドサポートを付設してなる請求項１から４いずれかに記載の椅子。
【請求項６】
前記背もたれが前記起立姿勢にあるとき、前記後方座は前記前方座に対して小角度をなして下向きに傾斜するように保持される請求項１から５いずれかに記載の椅子。
【発明の詳細な説明】
【技術分野】
【０００１】
本発明は、椅子に関し、更に詳しくは、理美容院、歯科、耳鼻科等のサービス（シャンプー、カット、診断、施術など）を提供する施設において好適に利用できる椅子に関するものである。
【背景技術】
【０００２】
従来より、リクライニング機能を備え、着座者が背もたれを後倒して傾斜姿勢乃至仰臥姿勢をとりうるように構成した椅子が実用に供されている。
【０００３】
図６（ａ）、（ｂ）は、従来の椅子の側面図である。椅子は、水平な座１００と、起立する背もたれ１０１と、座１００と背もたれ１０１とを揺動可能に枢支する軸１０３とを備えて構成される。
【０００４】
一方、着座者は、着座するに際し、大腿１０３及び腰１０６を座１００の上に載せ、胴体１０８を背もたれ１０１に預ける姿勢をとる。その結果、膝１０５を軸として、大腿１０３の前方から下向きに下腿１０４が垂れ下がり、また、腰１０６は、軸１０３の近くに位置する。
【０００５】
図６（ａ）の例では、頭部１０９は、背もたれ１０１よりもやや上方に位置している。大腿１０７は、大転子１０７をその支点とするが、大転子１０７は、軸１０３とは離れた位置にある。
【０００６】
図６（ａ）に示される起立姿勢から、着座者或いは介助者が背もたれ１０１を倒すと、図６（ｂ）に示すような傾斜姿勢となる。このとき、大転子１０７が軸１０３から離れているため、頭部１０９を含め着座者の上半身が、下方へズレてしまう。このようなズレは、不快なものであり、着座者が、高齢者、身体障害者、患者のように、介護を必要としたり肉体的あるいは精神的に弱い立場にあるとき、不安を増幅させるもととなる。
【０００７】
特に、図７（ａ）に示すように、着座者が浅めに腰掛けていると、図７（ｂ）に示すように、このズレがさらに大きくなってしまう。着座者の背中或いは腰１０６付近に皮膚の異常（例えば、褥瘡（じょくそう）、火傷、炎症等）や腰痛等がある場合、ズレを生ずると、着座者に苦痛を与えてしまう結果になる。
【０００８】
例えば、理美容院においてシャンプーのサービスを着座者に提供しようとする場合、図６（ｂ）、図７（ｂ）の傾斜姿勢よりもさらに、椅子全体を傾け、頭部１０９を後傾させ例えばシャンプー台の上に載せる必要を生ずることがある。
【０００９】
そのような場合、ズレを生ずると、着座者が不安・不快になるだけでなく、着座者が健常者でないときは、介助者又はサービスの提供者が、着座者の体を手で支え、頭部がシャンプー台の上に至るまで、移動させなければならない。このような作業は重労働であり、しかも、サービスの提供者は直ちに作業に入れないことになって時間の無駄が多くなる。
【００１０】
シャンプー台の上に着座者の頭部を載せようとすると、図８（ａ）、（ｂ）の状態から、さらに図８（ｃ）に示すようになるが、着座者は脚が異常に持ち上がった状態となり、不快を通り越して苦痛を感じやすい。特に、着座者に高血圧症や脳卒中歴等がある場合、かかる姿勢は非常に危険である。
【００１１】
特許文献１（特開２００１−１４９４１３号公報）は、図９（ａ）に示すように、座を、前方座部１１０と、後方座部１１１とに分割し、さらにこれらの座部１１０、１１１とをヒンジ１１２により、折り曲げ可能に連結する技術を開示する。これによれば、図９（ｂ）に示すように、背もたれ１０１を傾斜させるに伴い、後方座部１１１とを下向きに折り曲げることができ、上記ズレの問題は若干改善できる。
【００１２】
しかしながら、上述のように、例えば、理美容院においてシャンプーのサービスを着座者に提供しようとする場合のように、図９（ｃ）に示すように、背もたれ１０１を大きく後ろに傾斜させると、膝１０５が持ち上がり、大腿１０３及び下腿１０４と前方座１１０との間に、隙間が空いてしまう。よって、着座者の下半身が不安定になり、不快感を招く。また、脚部が異常に持ち上がる点では、図８（ｃ）とほぼ同様であり、同程度の危険性がある。
【特許文献１】特開２００１−１４９４１３号公報
【特許文献２】特開２００４−１４１２４７号公報
【発明の開示】
【発明が解決しようとする課題】
【００１３】
そこで本発明は、背もたれを傾斜させる一つの動きのなかで、ズレや無理な姿勢を避け、着座者の姿勢を起立姿勢から傾斜姿勢へ安全かつ快適に移行できる椅子を提供することを目的とする。
【課題を解決するための手段】
【００１４】
第１の発明に係る椅子は、基準点を有する背もたれと、水平な前方座と、前方座に連設され前方座に対して下向きに揺動可能に枢支される後方座とを有する座と、上端部が、前方座の前端部に枢支される脚当てと、後方座の後端部と背もたれの下端部とを、背もたれが起立姿勢から傾斜姿勢まで後傾可能に接続し、背もたれが後傾するに伴い、基準点から後方座までの距離が起立姿勢よりも傾斜姿勢の方が小さくなるように、後方座の後端部と背もたれの下端部との位置関係を変更する、傾動機構と、背もたれの下端部と脚当ての上端部よりも下方の箇所とを連結し、背もたれが後傾するに伴い、脚当てを前方へ揺動させる連結機構とを備える。
【００１５】
この構成において、背もたれを起立姿勢とし、着座者は、その腰が基準点に当接するように着座する。この状態では、基準点から後方座までの距離は最大であり、着座者の大転子と後方座の後端部の距離も最大である。
【００１６】
背もたれを後傾させ、傾斜姿勢とすると、着座者の腰は基準点に当接しているが、本来ならば背もたれとのズレを生ずる。しかしながら、傾動機構によって、基準点から後方座までの距離が起立姿勢よりも傾斜姿勢の方が小さくなるように、後方座の後端部と背もたれの下端部との位置関係を変更されるため、結果的に、背もたれが着座者の上半身の動きに追随することになり、着座者はズレを感じにくい。これにより、不安感や不快感を抑制できる。しかも、後方座を前方座に対して、下向きに揺動させて、一層、着座者の姿勢変更に追随させることができ、着座者は安心して姿勢を変更できる。
【００１７】
さらに、連結機構を設け、脚当てを前方へ揺動させることにより、脚当てを上げ着座者の下腿に接触させたままの状態を維持できる。これにより、着座者の膝下方に不快な隙間が生じにくくなるし、着座者の膝が異常に持ち上がり、危険を生ずるようなことはない。よって、着座者は安心して姿勢を変更できる。
【００１８】
第２の発明に係る椅子は、後方座が前方座に対して揺動する角度を規制する規制手段をさらに備え、規制手段により角度が規制されるまでは、距離が起立姿勢における距離のまま一定に保持され、背もたれと後方座とが一体的に揺動するように、傾動機構は、後方座の後端部と背もたれの下端部とを連結し、規制手段により角度が規制されると、距離が起立姿勢における距離から小さくなり、かつ、背もたれが後方座とは独立して揺動するように、傾動機構は、後方座の後端部と背もたれの下端部とを連結する。
【００１９】
この構成により、規制手段により、距離が起立姿勢における距離のまま一定に保持される状態と、距離が起立姿勢における距離から小さくなる状態とを、確実に切り替えることができる。また、距離が起立姿勢における距離から小さくなる状態では、背もたれが後方座とは独立して揺動するため、大腿部の位置が保持され、着座者は安心して姿勢を変更できる。
【００２０】
第３の発明に係る椅子は、規制手段は、後方座の側面に当設し角度を規制する傾斜面を有する邪魔板を備える。
【００２１】
この構成により、シンプルな構成で、しかも確実に、揺動する角度を制御できる。
【００２２】
第４の発明に係る椅子は、傾動機構は、後方座の後端部と背もたれの下端部と基準点との中間の位置とに両端部がそれぞれヒンジ止めされる第１リンクと、後方座の中間の位置よりも前方の位置と背もたれの下端部とに両端部がそれぞれヒンジ止めされ、第１リンクよりも長く形成される第２リンクとを有する。
【００２３】
この構成により、シンプルな構成で、しかも確実に、傾動動作を実現できる。ここで、傾動機構として、ガイド溝と、それに係合する爪等を用いることも考えられるが、そうすると、ガイド溝にゴミがたまるような不具合を生ずるおそれがある。この構成によれば、そのような不具合を未然に防止できる。
【００２４】
第５の発明に係る椅子は、脚当ての側方に、脚部のサイドサポートを付設してなる。
【００２５】
この構成により、着座者の下腿を側方からサポートすることができ、着座者の脚力が弱っているような場合でも、安全性、安心感を向上できる。
【００２６】
第６の発明に係る椅子は、背もたれが起立姿勢にあるとき、後方座は前方座に対して小角度をなして下向きに傾斜するように保持される。
【００２７】
この構成により、起立姿勢において、着座者は、既に大腿に対して腰が下となる姿勢をとることができ、安全性、安心感を向上できる。
【発明の効果】
【００２８】
本発明によれば、背もたれの動きを着座者の上半身の動きに追随させ、不快なズレを抑制し、安全性、安心感を向上できる。
【００２９】
後方座を前方座に対し下向きに揺動させることができるだけでなく、連結機構により脚当てを上げ着座者の下腿に接触させたままの状態を維持することができるため、危険を避け、着座者は安心して姿勢を変更できる。
【発明を実施するための最良の形態】
【００３０】
次に図面を参照しながら、本発明の実施の形態を説明する。図１は、本発明の一実施の形態における椅子（起立姿勢）の斜視図、図２は、同傾斜姿勢の椅子の斜視図である。
【００３１】
図１に示すように、この椅子は、フレーム１を有し、全ての要素は、フレーム１に対して移動可能あるいは移動不能に設けられる。図１に示す椅子は、理美容院において、シャンプー、カット等のサービスを着座者（介護を必要とする方を含む。）に提供するのに適するように配慮された椅子である。このため、フレーム１には、四個程度の小車輪２と、二個程度の大車輪３とが、回転自在に支持されている。つまり、この椅子は、車椅子でもある。
【００３２】
この椅子を用いると、後に詳述するように、背もたれを傾動させる際あるいは起立させる際における上半身のズレを抑制できる。しかしながら、このようにズレを抑制できる椅子は、着座者が健常者である場合にも、着座者に快適さをもたらすものであり、理美容院だけでなく、歯科、耳鼻科等、着座者が起立姿勢から傾斜姿勢をとる施設においても、好適に利用でき、本発明の対象となる椅子には、そのような用途に供される椅子を含まれる。ズレを抑制できるため、着座者はその体型によらず、仮に着座者に腰痛があっても、楽に寝起きができる。
【００３３】
メカニズムの詳細は、後述するが、この椅子は、図１に示す起立姿勢と、図２に示す傾斜姿勢、及びそれらの中間の姿勢をとりうる。左右一対の水平な肘掛け４が、フレーム１から斜め上方に延びるアーム４ａの先端に、片持ち梁状に固定され、着座者は、肘掛け４の上に左右それぞれの肘を載せうるようになっている。ここで、アーム４ａを無段階に伸縮できるように構成すると良く、着座者の肘の高さに合わせて、肘掛け４の高さを無段階に調整できるようにするのが好ましい。
【００３４】
この椅子は、座７と、座７の前端部から下向きの脚当て８と、脚当て８の下端部からほぼ直角に屈曲する足載せ９とを有する。脚当て８の両側には、好ましくは、左右一対のサイドサポート８ａを配置する。サイドサポート８ａは、その上端部を脚当て８に枢支し、サイドサポート８ａの中程及び下部を、サイドサポート８ａの上端部を中心として、上向きに跳ね上げられるようにすることが好ましい。
【００３５】
こうすると、サイドサポート８ａが、着座者の下腿を側方からサポートし、着座者の脚力が弱っているような場合でも、サイドサポート８ａが添え棒の役割を果たし、椅子から下腿が横にずれて外れてしまわないようにすることができる。それにより、安全性、安心感を向上できる。
【００３６】
背もたれ５は、体圧分散できるように着座者の脊椎に沿う形状とすることが望ましい。図３に示すように、背もたれ５には、着座者の脊椎が腰付近でＳ字状に湾曲するのにあわせて、前方に突出する腰当て部５ａが形成される。
【００３７】
また、図１に示すように、背もたれ５の上部には、枕６が着脱自在に取り付けられる。枕６は、望ましくは、背もたれ５に対して、着座者の座高にあわせて無段階に高さ調整できるようにする。さらに望ましくは、サービス（例えば施術など）の種類に合わせて、大小様々な形状の枕を選択的に取り付けられるようにすると良い。
【００３８】
望ましくは、背もたれ５及び座７等を脱着可能に形成し、着座者の体重にあわせて、最適なものを選択的に取り付けられるようにすると良い。
【００３９】
図示していないが、背もたれ５の後方に、椅子全体を押し引きして移動させるためのハンドル機構を設けるのが望ましい。さらに、そのハンドル機構の高さを着座者の身長に合わせて上下できるようにするのも望ましい。
【００４０】
また、図示していないが、椅子に昇降機構を設け、足踏みレバーにより、この昇降機構を作動させ、提供するサービスにあわせた高さに設定し、サービスの提供者が腰痛を起こさないようにしたり、着座者が座ったり立ったりするのに適する高さに設定したりすることが望ましい。
【００４１】
図３は、起立姿勢にあるときの椅子を示し、図４は、中間姿勢にあるときの椅子を、図５は、傾斜姿勢にあるときの椅子をそれぞれ示す。
【００４２】
図３に示すように、座７は、水平な前方座１０と、前方座１０に連設され前方座１０に対して下向きに揺動可能に枢支される後方座１１とを有する。前方座１０は、フレーム１に対して移動しないように水平に固定される。
【００４３】
前方座１０の後端部と、後方座１１の前方とは、ヒンジ１２により揺動可能に連結される。
【００４４】
背もたれ５が、図３に示される起立姿勢にあるとき、後方座１１は前方座１０に対して小角度θ１をなして下向きに傾斜するように保持される。小角度θ１は、約３度乃至約５度程度とすることが望ましい。
【００４５】
図３に示される起立姿勢にあるときは、背もたれ５や後方座１１等には、着座者の体重やサービスの提供者による力は作用しない。このとき、空気シリンダ３１のロッド３３が最も延びた状態にある。なお、言うまでもないが、空気シリンダは例示に過ぎず、バネ等の弾性材を使用することもできる。
【００４６】
空気シリンダ３１の基端部が軸支部３２により、邪魔板３０（フレーム１に固定される）に揺動自在に軸支され、ロッド３３の先端部が、軸支部１４により、背もたれ５の下端部に揺動自在に軸支されている。
【００４７】
このため、空気シリンダ３１による付勢力が作用し、軸支部１４と軸支部３２とは、最も離れた位置にあり、後方座１１は、最も上方に位置し、背もたれ５は最も起きた位置にある。このような位置が、起立姿勢である。
【００４８】
後方座１１のヒンジ１２よりも前方は、その法線方向が斜め上を向く傾斜綿となっており、後方座１１の後端部には、傾動機構２０が設けられる。
【００４９】
傾動機構２０は、第１リンク２３と第２リンク２１とを有する。図３の例では、第２リンク２１は、第１リンク２４よりも長く形成される。
【００５０】
第１リンク２３の両端部は、後方座１１の後端部と背もたれ５の下端部にある軸支部１４と腰当て凸部５ａとの中間の位置とに、それぞれヒンジ２４、２５により揺動自在に連結される。本形態では、腰当て凸部５ａを基準点とするが、背もたれ５の他の一定点を基準点としても良い。また、第２リンク２１の両端部は、後方座１１の中間の位置よりも前方の位置と背もたれ５の下端部にある軸支部１４とに、それぞれヒンジ２２と軸支部１４とにより揺動自在に連結される。
【００５１】
椅子が図３に示される起立姿勢にあるとき、第１リンク２３の前方下側の角部２３ａは、第２リンク２１の側面に当接している。
【００５２】
第２リンク２１は、空気シリンダ３１からの付勢力を受けて、ヒンジ２２を中心として図３の反時計回りに回動すべく第１リンク２３を押し上げようとするが、角部２３ａは、第２リンク２１の側面に当接しているため、第２リンク２１は、図３の位置を保持する。その結果、背もたれ５も図３の位置を保持する。
【００５３】
邪魔板３０は、規制手段に相当し、後方座１１の側面に当設し後方座１１の角度を規制する傾斜面３０ａを有する。
【００５４】
しかしながら、図３の起立姿勢では、空気シリンダ３１の付勢力により、傾斜面３０ａは、後方座１１の側面から離れており、後方座１１は、ヒンジ１２を中心として、図３の位置からさらに時計回りに回動することができる。
【００５５】
脚当て８の上端部は、前方座１０の前端部にヒンジ３５により揺動自在に枢支される。また、背もたれ５の下端部にある軸支部１４と、脚当て８の上端部よりも下方の箇所とは、ヒンジ３６と軸支部１４とにより、連結リンク３７に揺動可能に連結される。連結リンク３５は、連結機構に相当する。
【００５６】
このような連結リンク３５を設けたので、図４〜図５に示すように、背もたれ５が後傾するに伴い、脚当て８が前方へ揺動する。
【００５７】
図３に示す起立姿勢では、背もたれ５が最も起きた状態にあり、連結リンク３５は、最も後方へ引き込まれた位置となる。その結果、脚当て８は、側面視で垂直よりも内側（背もたれ５側）に入り込む位置となる。
【００５８】
そのため、着座者が椅子に着座しようとするとき、着座者の下腿が脚当て８に干渉せず着座者は楽に椅子に着座できる。逆に、着座者が椅子から立ち上がろうとするときも脚当て８が干渉せず、着座者は体重を楽に支えることができる。このような配慮は、着座者の身体動作に不自由があるとき、極めて重要になる。
【００５９】
着座者が図３に示す起立姿勢において着座した後、着座者自身の体重により、あるいはサービスの提供者が介助して、背もたれ５を傾け始めると、図４に示す中間姿勢までは、角部２３ａと第２リンク２１の側面とが当接したまま、ヒンジ１２を中心として、後方座１１、傾動機構２０、背もたれ５、連結リンク３７、脚当て８が一体的に揺動する。
【００６０】
つまり、邪魔板３０により後方座１１の角度が規制されるまでは、腰当て凸部５ａから後方座１１までの距離が起立姿勢における距離ｔ１のまま一定に保持され、背もたれ５と後方座１１とが一体的に揺動する。
【００６１】
図４に示す中間姿勢では、後方座１１と邪魔板３０の傾斜面３０ａとが当接する。このため、これ以降、後方座１１は、ヒンジ１２を中心に図４の時計方向に揺動できなくなり、後方座１１の角度が規制される。
【００６２】
なお、図３の起立姿勢から図４の中間姿勢に至ると、空気シリンダ３１から突出するロッド３３の長さはやや短くなり、連結ロッド３７はやや前方へ移動する。その結果、脚当て８がほぼ垂直かあるいはそれよりも前方へ傾き、脚当て８は、着座者の下腿を軽く前方へ向けて支えることになる。
【００６３】
上述したように、図４の中間姿勢以降では、後方座１１の揺動は規制され、前方座１０と後方座１１とがなす角は、最大角度θ２となる。最大角度θ２は、例えば約３０度程度とすることが望ましい。
【００６４】
図４の中間姿勢から更に背もたれ５を傾けると、「背景技術」の項で指摘したズレを生じやすい。しかしながら、本形態では、次に述べるように、後方座１１の角度が規制されると、腰当て凸部５ａから後方座１１までの距離が、起立姿勢における距離ｔ１から小さくなり、かつ、背もたれ５が後方座１１とは独立して（後方座１１は停止している）揺動する。
【００６５】
図５に示すように傾斜姿勢に至ると、空気シリンダ３１のロッド３３は更に空気シリンダ３１に入り込み突出するロッド３３は殆どゼロになる。しかしながら、これは例示に過ぎず種々変更できる。
【００６６】
後方座１１の揺動が規制された状態で、背もたれ５を更に傾けると、第２ロッド２１と第１ロッド２３の角部２３ａが離れ、これらのロッド２１、２３が開いてゆく。
【００６７】
その結果、背もたれ５は下方へ潜り込むような軌跡を描き、上記距離は小さく（距離ｔ２＜ｔ１）なる。即ち、ちょうど腰当て凸部５ａが着座者の腰の動きに追随するようになり、上記ズレが生じない。
【００６８】
また、背もたれ５の下端部が下向き前方へ入り込む動きに伴い、連結ロッド３７が前向きに押し出されるため、脚当て８が斜め前方へ移動する。その結果、弱座者は、図５に示すようにフルリクライニングするに伴い、下腿を自然に上向きに押し上げられることになり、着座者は腰に負担を感じることなく、楽に傾斜姿勢乃至仰臥姿勢をとることができる。
【００６９】
逆に図５に示す傾斜姿勢から背もたれ５を起こすと、図４の中間姿勢を経て図３の起立姿勢に至る。この間にも、不快なズレを生ずることなく、着座者は、起立姿勢をとって、椅子から立ち上がることができる。
【図面の簡単な説明】
【００７０】
【図１】本発明の一実施の形態における椅子（起立姿勢）の斜視図
【図２】本発明の一実施の形態における椅子（傾斜姿勢）の斜視図
【図３】本発明の一実施の形態における椅子（起立姿勢）の側面図
【図４】本発明の一実施の形態における椅子（中間姿勢）の側面図
【図５】本発明の一実施の形態における椅子（傾斜姿勢）の側面図
【図６】（ａ）従来の椅子の（起立姿勢）の側面図  （ｂ）従来の椅子の（中傾斜姿勢）の側面図
【図７】（ａ）従来の椅子の（起立姿勢）の側面図  （ｂ）従来の椅子の（中傾斜姿勢）の側面図
【図８】（ａ）従来の椅子の（起立姿勢）の側面図  （ｂ）従来の椅子の（中傾斜姿勢）の側面図  （ｃ）従来の椅子の（大傾斜姿勢）の側面図
【図９】（ａ）従来の椅子の（起立姿勢）の側面図  （ｂ）従来の椅子の（中傾斜姿勢）の側面図  （ｃ）従来の椅子の（大傾斜姿勢）の側面図
【符号の説明】
【００７１】
１  フレーム
２  小車輪
３  大車輪
４  肘掛け
５  背もたれ
５ａ  腰当て凸部
６  枕
７  座
８  脚当て
８ａ  サイドサポート
９  足載せ
１０  前方座
１１  後方座
１２、２２、２４、２５、３５、３６  ヒンジ
１４、３２  軸支部
２０  傾動機構
２１  第２リンク
２３  第１リンク
２３ａ  角度
３０  邪魔板
３０ａ  傾斜面
３０ｂ  角部
３１  空気シリンダ
３３  ロッド
３７  連結リンク
【図１】
2010124885.tif 000003
【図２】
2010124885.tif 000004
【図３】
2010124885.tif 000005
【図４】
2010124885.tif 000006
【図５】
2010124885.tif 000007
【図６】
2010124885.tif 000008
【図７】
2010124885.tif 000009
【図８】
2010124885.tif 000010
【図９】
2010124885.tif 000011